(57)【要約】【課題】　薄型で、かつ信頼性の高いディスクカートリッジを用いるディスクドライブを提供する。【解決手段】　ディスクドライブは、カートリッジホルダーを備える。このディスクドライブの用いるディスクカートリッジは、情報の記録および／または再生が行われる記録層が設けられた円盤形状のディスク１と、ディスク１の片側の面を覆うように設けられたディスクカバー２と、ディスク１とディスクカバー２とを接続する接続手段とを有し、ディスク１におけるディスクカバー２が設けられている面とは反対側の面が外部に露出している。【選択図】　図１
2004103245.tif 000002
【特許請求の範囲】
【請求項１】
　ディスクカートリッジを用いるディスクドライブにおいて、
　当該ディスクドライブ本体に移動可能に設けられており、上記ディスクカートリッジが挿入されることにより、上記ディスクカートリッジを保持しつつ上記ディスクカートリッジの挿入方向へ移動後、挿入方向に対して下方向へ移動するカートリッジホルダーを備え、
　上記ディスクカートリッジとして、
　情報の記録および／または再生が行われる記録層が設けられた円盤形状のディスクと、上記ディスクの片側の面における少なくとも一部の領域を覆うように設けられたディスクカバーと、上記ディスクと上記ディスクカバーとを接続する接続手段とを有し、上記ディスクにおける上記ディスクカバーが設けられている面とは反対側の面が外部に露出しているディスクカートリッジを用いることを特徴とするディスクドライブ。
【請求項２】
　上記ディスクに対して記録および／または再生を行うヘッドを備え、
　上記ディスクドライブに上記ディスクカートリッジの装填が完了した時点で、上記ディスクホルダーにより、上記ディスクが上記ヘッドに近づけられることを特徴とする請求項１記載のディスクドライブ。
【請求項３】
　上記ディスクを保持するためのチャッキングを備え、
　上記ディスクドライブに上記ディスクカートリッジの装填が完了した時点で、上記ディスクホルダーにより、上記ディスクが上記チャッキングに保持されることを特徴とする請求項１または２記載のディスクドライブ。
【請求項４】
　ディスクカートリッジを用いるディスクドライブにおいて、
　上記ディスクカートリッジを挿入する際に、ドライブケースから上面側に斜めにリフトされ、ディスクカートリッジ挿入口を露出させるカートリッジホルダーを備え、
　上記ディスクカートリッジとして、
　情報の記録および／または再生が行われる記録層が設けられた円盤形状のディスクと、上記ディスクの片側の面における少なくとも一部の領域を覆うように設けられたディスクカバーと、上記ディスクと上記ディスクカバーとを接続する接続手段とを有し、上記ディスクにおける上記ディスクカバーが設けられている面とは反対側の面が外部に露出しているディスクカートリッジを用いることを特徴とするディスクドライブ。
【発明の詳細な説明】
【技術分野】
【０００１】
　本発明は、例えば光磁気記録や相変化記録を行う光ディスクなどのディスク状記録媒体を備えたディスクカートリッジを用いるディスクドライブに関するものである。
【背景技術】
【０００２】
　従来、デジタルデータを記録するディスク装置としては、磁気の変化を検出することによってデータを読み取る磁気ディスクや、レーザなどのビームを照射し、反射光の光強度などを検出することによってデータを読み取る光ディスクなどが用いられている。
【０００３】
　磁気ディスクとしては、フロッピー（登録商標）ディスクやＺＩＰディスク、ＪＡＺ（登録商標）ディスクなどの媒体交換が可能なものと、ハードディスクドライブなどの媒体交換を行わないものとがある。このような磁気ディスクにおいては、記録密度を高くするためには、媒体上の記録面と磁気ヘッドとの間隙を小さくする必要があるが、これによって塵埃の影響を受けやすくなるという問題がある。特に、媒体交換型の磁気ディスクの場合には、たとえディスクをカートリッジ内に収めたとしても、塵埃が内部に侵入する可能性は高く、信頼性に対する課題が生じている。
【０００４】
　一方、ハードディスクドライブでは、密閉した筐体内にハードディスクを収め、媒体交換を行わない構成とすることによって、装置内部に塵埃が侵入することを防止している。これにより、ハードディスクドライブでは、記録密度の上昇が著しく進んでいる。しかしながら、媒体交換は行えない構造であるので、記録容量が一杯になった場合には、ハードディスクドライブを増設するか、記録しているデータを他の交換可能な記録媒体に移動させるというような処理が必要となる。
【０００５】
　これに対して、光ディスクは、情報が記録されるディスクの表面と、情報を読み取るための光学ヘッドとの間の距離が１ｍｍ以上離れている構成となっている。すなわち、光ディスクにおいては塵埃に対する影響が小さいので、記録密度が比較的高いにも拘らず、媒体交換が可能な形態で広く普及している。
【特許文献１】特開平２−１９３３７７号公報（公開日１９９０年７月３１日）
【発明の開示】
【発明が解決しようとする課題】
【０００６】
　近年、様々な製品に光ディスクを使用するディスク装置が搭載されるようになっている。例えばノートパソコンなどの持ち運びを考慮した製品や、携帯型の光ディスクプレーヤーなどに搭載する場合には、ディスク装置はより薄型であることが好ましいことになる。
【０００７】
　従来の光ディスクは、基板（ポリカーボネートなど）を通して記録面に記録再生用のレーザをフォーカスさせる構成となっている。よって、基板の厚みに相当する焦点距離を得るために、再生用のレーザをフォーカスさせるための対物レンズ径は比較的大きなものとなる。これにより、対物レンズに入射させるレーザ光の径も大きくする必要が生じ、さらに、レーザ光源から出射したレーザ光を対物レンズに向けて反射させるミラーの高さを大きくする必要がある。すなわち、光学ヘッド自体の厚みがある程度必要となっているので、光ディスクドライブの薄型化が困難となっている。
【０００８】
　また、上記のような理由により、光学ヘッドの重量は比較的大きなものとなっているので、ハードディスクドライブのような高速なランダムアクセスが困難となっている。よって、光ディスクドライブは、ハードディスクドライブと比較して、データのリードやライトに要する時間が長いという問題も有している。
【０００９】
　また、従来の読み書き可能な光ディスクは、ほこりや汚れなどの付着の防止のために、記録膜を有するディスク基板をカートリッジ内に収めた構成となっている。このような構成の光ディスクに対しても、ディスクドライブの薄型化を実現するために、光ディスク自体の薄型化も望まれている。
【００１０】
　本発明は上記の問題点を解決するためになされたもので、その目的は、薄型で、かつ信頼性の高いディスクカートリッジを用いるディスクドライブを提供することにある。
【課題を解決するための手段】
【００１１】
　本発明に係るディスクドライブは、ディスクカートリッジを用いるディスクドライブであって、当該ディスクドライブ本体に移動可能に設けられており、上記ディスクカートリッジが挿入されることにより、上記ディスクカートリッジを保持しつつ上記ディスクカートリッジの挿入方向へ移動後、挿入方向に対して下方向へ移動するカートリッジホルダーを備え、上記ディスクカートリッジとして、情報の記録および／または再生が行われる記録層が設けられた円盤形状のディスクと、上記ディスクの片側の面における少なくとも一部の領域を覆うように設けられたディスクカバーと、上記ディスクと上記ディスクカバーとを接続する接続手段とを有し、上記ディスクにおける上記ディスクカバーが設けられている面とは反対側の面が外部に露出しているディスクカートリッジを用いることを特徴としている。
【００１２】
　上記の構成によれば、記録層が設けられたディスクに対して、その片側の面のみを覆うように、ディスクカバーが設けられており、ディスクとディスクカバーとは、接続手段によって接続された構成となっている。したがって、ディスクカートリッジ全体の厚みとしては、ディスクの厚みと、ディスクの片側のみに設けられたディスクカバーの厚みのみとなる。よって、例えばディスクの両側にディスクカバーが設けられているディスクカートリッジと比較して、ディスクカートリッジ全体の厚みをより薄くすることができる。すなわち、ディスクカートリッジの厚みが薄くなることにより、該ディスクカートリッジに対応するディスクドライブにおける厚みの低減を実現することができる。
【００１３】
　また、本発明に係るディスクドライブは、上記の構成において、上記ディスクに対して記録および／または再生を行うヘッドを備え、上記ディスクドライブに上記ディスクカートリッジの装填が完了した時点で、上記ディスクホルダーにより、上記ディスクが上記ヘッドに近づけられる構成としてもよい。
【００１４】
　また、本発明に係るディスクドライブは、上記の構成において、上記ディスクを保持するためのチャッキングを備え、上記ディスクドライブに上記ディスクカートリッジの装填が完了した時点で、上記ディスクホルダーにより、上記ディスクが上記チャッキングに保持される構成としてもよい。
【００１５】
　本発明に係るディスクドライブは、ディスクカートリッジを用いるディスクドライブであって、上記ディスクカートリッジを挿入する際に、ドライブケースから上面側に斜めにリフトされ、ディスクカートリッジ挿入口を露出させるカートリッジホルダーを備え、上記ディスクカートリッジとして、情報の記録および／または再生が行われる記録層が設けられた円盤形状のディスクと、上記ディスクの片側の面における少なくとも一部の領域を覆うように設けられたディスクカバーと、上記ディスクと上記ディスクカバーとを接続する接続手段とを有し、上記ディスクにおける上記ディスクカバーが設けられている面とは反対側の面が外部に露出しているディスクカートリッジを用いることを特徴としている。
【００１６】
　上記の構成によれば、従来ディスクカートリッジにおけるアッパーシェルの厚み分、ディスクドライブの厚さを薄くすることができる。
【発明の効果】
【００１７】
　以上のように、本発明に係るディスクドライブは、ディスクカートリッジを用いるディスクドライブであって、当該ディスクドライブ本体に移動可能に設けられており、上記ディスクカートリッジが挿入されることにより、上記ディスクカートリッジを保持しつつ上記ディスクカートリッジの挿入方向へ移動後、挿入方向に対して下方向へ移動するカートリッジホルダーを備え、上記ディスクカートリッジとして、情報の記録および／または再生が行われる記録層が設けられた円盤形状のディスクと、上記ディスクの片側の面における少なくとも一部の領域を覆うように設けられたディスクカバーと、上記ディスクと上記ディスクカバーとを接続する接続手段とを有し、上記ディスクにおける上記ディスクカバーが設けられている面とは反対側の面が外部に露出しているディスクカートリッジを用いる構成である。
【００１８】
　上記の構成によれば、記録層が設けられたディスクに対して、その片側の面のみを覆うように、ディスクカバーが設けられており、ディスクとディスクカバーとは、接続手段によって接続された構成となっている。したがって、ディスクカートリッジ全体の厚みとしては、ディスクの厚みと、ディスクの片側のみに設けられたディスクカバーの厚みのみとなる。よって、例えばディスクの両側にディスクカバーが設けられているディスクカートリッジと比較して、ディスクカートリッジ全体の厚みをより薄くすることができる。すなわち、ディスクカートリッジの厚みが薄くなることにより、該ディスクカートリッジに対応するディスクドライブにおける厚みの低減を実現することができる。
【００１９】
　また、本発明に係るディスクドライブは、上記の構成において、上記ディスクに対して記録および／または再生を行うヘッドを備え、上記ディスクドライブに上記ディスクカートリッジの装填が完了した時点で、上記ディスクホルダーにより、上記ディスクが上記ヘッドに近づけられる構成としてもよい。
【００２０】
　また、本発明に係るディスクドライブは、上記の構成において、上記ディスクを保持するためのチャッキングを備え、上記ディスクドライブに上記ディスクカートリッジの装填が完了した時点で、上記ディスクホルダーにより、上記ディスクが上記チャッキングに保持される構成としてもよい。
【００２１】
　本発明に係るディスクドライブは、ディスクカートリッジを用いるディスクドライブであって、上記ディスクカートリッジを挿入する際に、ドライブケースから上面側に斜めにリフトされ、ディスクカートリッジ挿入口を露出させるカートリッジホルダーを備え、上記ディスクカートリッジとして、情報の記録および／または再生が行われる記録層が設けられた円盤形状のディスクと、上記ディスクの片側の面における少なくとも一部の領域を覆うように設けられたディスクカバーと、上記ディスクと上記ディスクカバーとを接続する接続手段とを有し、上記ディスクにおける上記ディスクカバーが設けられている面とは反対側の面が外部に露出しているディスクカートリッジを用いる構成である。
【００２２】
　上記の構成によれば、従来ディスクカートリッジにおけるアッパーシェルの厚み分、ディスクドライブの厚さを薄くすることができる。
【発明を実施するための最良の形態】
【００２３】
　〔実施の形態１〕
　本発明の実施の一形態について図面に基づいて説明すれば、以下のとおりである。
【００２４】
　図１（ａ）および図１（ｂ）は、本実施形態に係るディスクカートリッジの概略構成を示しており、同図（ａ）は断面図、同図（ｂ）は、同図（ａ）を上方向から見た際の平面図を示している。上記ディスクカートリッジは、ディスク１およびディスクカバー２を備えた構成となっている。
【００２５】
　ディスク１は、円盤形状の記録媒体であり、記録面を有するディスク部３と、ディスク１の中心部に設けられたハブ部４とから構成されている。ディスクカバー２は、図１（ａ）に示すように、ディスク１の下側半分を覆うような形状となっている。また、ディスクカバー２には、ディスク１におけるハブ部４に対応する部分に、開口部６が設けられている。すなわち、上記ディスクカートリッジは、下側半分が、上記開口部６を除いてディスクカバー２で覆われている一方、上側半分が、ディスク１の上側の面が露出している構造となっている。
【００２６】
　ディスクカバー２を構成する材料としては、例えば、ポリカーボネイト、ＡＢＳ(acrylonitrile-butadiene-styrene)、およびアクリルなどの樹脂類、スチール、およびアルミニウムなどの金属類などを用いることができる。
【００２７】
　また、ディスク１におけるハブ部４は、磁性体によって構成されているとともに、ディスクカバー２における開口部６のディスク１側には、磁性体を含んだ内周側ディスク当接部（内周側当接部）５が設けられている。これにより、ハブ部４と内周側ディスク当接部５とが磁力によって引っ張られるので、ディスク１とディスクカバー２とが一体となった状態が維持される。また、逆に言えば、上記の磁力よりも強い外力を、ディスク１とディスクカバー２とを分離する方向で加えれば、両者を分離することが可能となっている。
【００２８】
　なお、詳細は後述するが、ディスク１とディスクカバー２とをロックする機構を備える場合には、ハブ部４および内周側ディスク当接部５を磁性体で構成しなくてもよい。
【００２９】
　また、ディスクカバー２における、ディスク１の外周部近傍に対応する位置に、外周側ディスク当接部（外周側当接部）７が設けられている。すなわちディスク１は、その内周側を内周側ディスク当接部５によって、その外周側を外周側ディスク当接部７によって、ディスクカバー２に対して支持されることになる。
【００３０】
　図２は、上記外周側ディスク当接部７の近傍を拡大して示した断面図である。同図に示すように、外周側ディスク当接部７は、中空の弾性体によって構成されているものである。この外周側ディスク当接部７を構成する弾性体としては、例えばゴムなどが挙げられる。このように、ディスク部３の外周部は、外周側ディスク当接部７の弾性力によって支持されることになる。よって、外部からディスク１に対して衝撃が加わった場合などに、この衝撃を外周側ディスク当接部７の弾性力によって吸収することができ、ディスク１の破損などを抑制することができる。
【００３１】
　また、ここでは図示しないが、上記内周側ディスク当接部５におけるディスク１との当接面も、ゴムなどの弾性体によって構成されていることが好ましい。これにより、衝撃を吸収するとともに、ディスク１における内周側ディスク当接部５との当接部位に傷が生じることを抑制することができる。
【００３２】
　次に、上記ディスク部３の構成、および該ディスク部３に対して記録再生を行うヘッド１１の構成について説明する。図３は、ディスク部３、および該ディスク部３に対して記録再生を行うヘッド１１の構成を示す説明図である。
【００３３】
　同図に示すように、ディスク部３は、ディスク基板１４、記録膜（記録層）１５、および保護膜（保護層）１６から構成されており、ディスク基板１４における、ヘッド１１からのレーザ光の入射側（光入射側）の面に、記録膜１５、および保護膜１６がこの順で積層されている。
【００３４】
　ディスク基板１４は、ディスク部３の基板となる部材である。このディスク基板１４を構成する材料としては、帯電防止性のある材料であればどのようなものを用いてもよいが、例えば、ポリカーボネイト、ＡＢＳ、およびアクリルなどの樹脂類、スチール、およびアルミニウムなどの金属類、強化硝子などの硝子類などが挙げられる。樹脂類は、圧縮成形できるので大量生産に適しているとともに、材料が安価であるという利点を有している。金属類は、プレス加工によって容易に生産ができるとともに、材料が安価でかつ強度が高いという利点を有している。硝子類は、平面性および硬度が高く、光学的に安定しているという利点を有している。また、ディスク基板１４における光入射側とは反対側の面は、図１に示すように、外部に露出することになるので、ディスク基板１４を構成する材料としては、この露出面に傷などがつかない程度の硬度を有していることが好ましい。
【００３５】
　記録膜１５は、相変化記録や光磁気記録に対応した記録膜材料によって構成されるものである。具体的な材料としては、従来から用いられている記録膜材料を用いればよいので、ここでは列挙しない。
【００３６】
　保護膜１６は、ディスク部３における光入射側の面を保護するための部材である。この保護膜１６を構成する材料としては、帯電防止性があり、かつ透光性がある材料であればどのようなものを用いてもよいが、例えば、ポリカーボネイト、ＡＢＳ、およびアクリルなどの樹脂類、強化硝子などの硝子類などが挙げられる。これらの樹脂類および硝子類の利点は上記したとおりである。また、保護膜１６の表面は、ヘッド１１と近接するので、保護膜１６を構成する材料としては、摺動性を有するものであることが好ましい。
【００３７】
　ヘッド１１は、図３に示すように、磁気コイル（磁気ヘッド部）１７、対物レンズ１８、ミラー１９、収差補正レンズ群２０、ハーフミラー２１、発光素子２２、および受光素子２３を備えた構成となっている。
【００３８】
　発光素子２２は、レーザ光を発光するための素子であり、例えばＬＤ(Laser Diode)などを備えているものである。受光素子２３は、ディスク部３における記録膜１５から反射されたレーザ光を受光し、信号を読み取るための素子である。ハーフミラー２１は、発光素子２２から出射したレーザ光を透過する一方、ディスク部３から反射されたレーザ光を受光素子２３方向に反射させる機能を有する光学部品である。収差補正レンズ群２０は、発光素子２２から出射されたレーザ光に含まれる収差を補正するためのレンズ群である。ミラー１９は、発光素子２２から出射されたレーザ光を、ディスク部３における光照射点の方向に反射させるものである。対物レンズ１８は、ミラー１９で反射された光を集光して、ディスク部３における記録膜１５上にフォーカスさせるためのレンズである。これらの対物レンズ１８、ミラー１９、収差補正レンズ群２０、ハーフミラー２１、発光素子２２、および受光素子２３によって、ヘッド１１における光学ヘッド部が構成される。磁気コイル１７は、記録動作を行う際に、ディスク部３における記録膜１５に対して磁界を印加するためのものである。
【００３９】
　なお、上記の例では、ディスク部３は、記録層としての記録膜１５が相変化記録や光磁気記録に対応した記録膜材料によって構成される記録再生可能なディスクとなっているが、これに限定されるものではない。例えば、ＣＤ、ＣＤ−ＲＯＭ、ＤＶＤ−ＲＯＭのように、記録層として、予め情報に応じて基板自体に設けられた凹凸部上に反射膜が形成されている構成の再生専用ディスクや、ＣＤ−Ｒ、ＤＶＤ−Ｒなどの追記型ディスクであっても構わない。また、上記の例では、ヘッド１１として、記録および再生を行う構成のヘッドの例を示したが、これに限定されるものではなく、記録再生可能なディスクおよび上記のような再生専用ディスクに対して再生のみを行うヘッドであってもよい。この場合には、磁気コイル１７などの構成は不要となる。
【００４０】
　以上のような構成のヘッド１１における再生動作、すなわちレーザ光の照射および反射光の検出は次のように行われる。まず、発光素子２２から出射したレーザ光は、ミラー１９を透過して収差補正レンズ群２０に入射する。収差補正レンズ群２０で収差が補正されたレーザ光は、ミラー１９によって反射され、対物レンズ１８に入射する。対物レンズ１８によって集光されたレーザ光は、ディスク部３における保護膜１６を透過し、記録膜１５上でフォーカスされる。その後、記録膜１５に記録されているデータに応じて反射光量が変化した反射光は、対物レンズ１８、ミラー１９、収差補正レンズ２０を順に通過し、ハーフミラー２１において受光素子２３が配置されている方向へ反射される。そして、受光素子２３において反射光が受光され、データの読み出しが行われる。
【００４１】
　ここで、従来の光ディスクについて説明する。従来の光ディスクでは、透光性を有するポリカーボネートなどからなるディスク基板を通して記録面に記録再生用のレーザ光が照射される構成となっている。すなわち、従来の光ディスクは、ディスク基板において、光入射側とは反対側に記録膜が形成されている構成となっており、上記で示したディスク１の構成とは異なる構成となっている。従来の光ディスクにおいて、このように光入射側とは反対側に記録膜が形成されているのは、次のような理由によるものである。すなわち、ディスク基板の光入射側の表面に小さなほこりが付着していたりや傷が生じていたりした場合でも、照射されるレーザ光は、ディスク基板の厚みを通して記録膜上にフォーカスされるので、このようなほこりや傷の影響が小さくなるからである。
【００４２】
　しかしながら、このようにディスク基板の厚みを通して記録面上にレーザ光を照射する場合、ディスク基板の厚みの分だけ焦点距離が長くなるので、対物レンズ径を大きくする必要がある。また、対物レンズ径に入射させるレーザ光の径も大きくさせる必要があるため、発光素子からのレーザ光を対物レンズ方向へ反射させるミラーも大きくする必要がある。具体的には、ディスク基板の厚みが０．６〜１．２ｍｍ、ヘッドとディスク基板の表面との距離が１ｍｍ程度、レーザ光の径が１ｍｍ程度となっている。このような理由により、従来の光ディスクに対応したヘッドは、サイズおよび重量ともに比較的大きなものとなっている。これは、ディスクドライブの厚みを増大させるとともに、ヘッドのアクセススピードが遅くなる要因となっている。
【００４３】
　これに対して、今日では、従来の光ディスクが開発された当時と比較して、記録信号がデジタル化されるとともに、エラー訂正の技術も発達してきており、エラーに対する耐久性が向上してきている。すなわち、従来のように、ディスク基板表面のほこりや傷などによるエラーの発生が低減されているので、ディスク基板を透過して記録膜にレーザ光を照射する必要性が薄れてきている。
【００４４】
　このような理由により、本実施形態のディスク１では、ディスク基板１４の光入射側に記録膜１５を設け、レーザ光の焦点距離を短くした構成となっている。よって、ヘッド１１の大きさおよび重量も従来と比較して著しく小型化している。具体的には、レーザ光の径を１０μｍ程度とすればよいことになるので、対物レンズの径、およびミラーの大きさに関していえば、従来のヘッドと比較して、およそ１００分の１程度の大きさでよいことになり、大幅にヘッドの小型化を実現することができる。したがって、ディスクドライブ自体の薄型化、およびヘッドのアクセススピードの高速化を実現できる。
【００４５】
　次に、上記ディスクカートリッジに対して記録再生動作を行うディスクドライブについて、以下に説明する。図４（ａ）ないし図４（ｄ）は、上記ディスクドライブによるディスクカートリッジに対する記録再生動作の手順を示す説明図である。ディスクドライブは、例えば図４（ａ）に示すように、ベース部８、スピンドルモータ９、チャッキング１０、ヘッド１１、アクチュエータ１２、およびヘッドアーム１３を備えた構成となっている。
【００４６】
　ベース部８は、ディスクドライブが備える各構成を支持するためのベース部材である。スピンドルモータ９は、記録再生時に、ディスクカートリッジにおけるディスク１を回転させるためのモータである。チャッキング１０は、記録再生時、および記録再生待機時において、ディスク１を保持するための部材である。このチャッキング１０は、上記スピンドルモータ９の上面側に設けられており、スピンドルモータ９の回転に伴って、チャッキング１０が回転する構成となっている。これにより、スピンドルモータ９を回転させることによって、チャッキング１０に保持されたディスク１が回転することになる。
【００４７】
　ヘッド１１は、記録再生時に、ディスク１に対してのレーザの照射、およびディスク１からの反射光の検出を行うための光学ヘッド、および、記録時に磁界を発生させる磁気ヘッドを備えたものである。アクチュエータ１２は、ヘッド１１を、退避位置からディスク１における記録再生領域に移動させるとともに、ディスク１内における所望の位置へのアクセス制御を行うものである。ヘッドアーム１３は、ヘッド１１を支持するとともに、アクチュエータ１２による制御により、ヘッド１１を移動させるためのものである。
【００４８】
　次に、ディスクドライブにおいて、ディスクカートリッジの挿入から記録再生動作を行うまでの手順について説明する。まず、図４（ａ）に示すように、ディスク１とディスクカバー２とが接合した状態のディスクカートリッジが、ディスクドライブの側方から、チャッキング１０の上方を越えるようにして挿入される。そして、図４（ｂ）に示すように、ディスクカバー２の開口部がチャッキング１０の真上に到達した時点で、ディスクカートリッジの横方向の移動が停止される。
【００４９】
　その後、図示はしないが、ディスクドライブが備えるディスクカバー昇降手段によって、ディスクカバー２が下方に移動させられる。この際に、ディスクカバー２の下降に伴って、ディスク１も下降することになるが、ディスク１におけるハブ部４がチャッキング１０に到達した時点で、ディスク１の下降は停止することになる。一方、ディスクカバー２における開口部は、チャッキング１０の径よりも大きくなっているので、ディスクカバー昇降手段が、ディスクカバー２の下降を続行することにより、ディスク１とディスクカバー２とが分離されることになる。その後、ディスクカバー２は、図４（ｃ）に示すように、ベース部８に到達するまで下降する。
【００５０】
　このようにして分離されたディスク１とディスクカバー２との間隙に対して、図４（ｄ）に示すように、アクチュエータ１２によってヘッド１１が挿入され、所望のディスク位置において記録再生動作が行われる。
【００５１】
　なお、図５（ａ）ないし図５（ｃ）は、上記の動作を、図４（ａ）ないし図４（ｄ）において上方から見た際の様子を示す説明図である。すなわち、図５（ａ）では、ディスクカートリッジがディスクドライブに対して側方から挿入されている状態を示しており、図５（ｂ）では、ディスク１とディスクカバー２との分離が完了した状態を示しており、図５（ｃ）では、ヘッド１１が記録再生動作位置に移動した状態を示している。
【００５２】
　これらの図に示すように、ヘッドアーム１３は、アクチュエータ１２内に設けられた支点を中心として回転することによって、ヘッド１１を移動させる構成となっている。このように、ヘッドアーム１３をスイングさせることによってヘッドを移動させる構成によれば、ディスクドライブ内において、ヘッド１１を移動させるために必要とされる領域を比較的小さくすることができる。比較例として、ヘッドアーム１３を横方向にスライドさせる構成の場合には、ヘッド１１をアクチュエータ１２から最も遠い場所に移動させるのに必要とされるヘッドアーム１３の長さ分が、ヘッド１１を退避位置に移動させている状態で、横方向に延びてしまうことになる。このように、図４（ａ）ないし図４（ｄ）などに示したディスクドライブによれば、ディスクドライブ自体の横方向の大きさを小さくすることができる。
【００５３】
　また、図４（ａ）ないし図４（ｄ）などに示したディスクドライブでは、アクチュエータ１２を、ディスクカートリッジが配置される領域の外側に配置し、横方向からヘッド１１をディスク１とディスクカバー２との間に挿入する構成となっている。したがって、ディスクドライブの厚み方向に関しては、ヘッド１１を挿入することが可能な程度に、ディスク１とディスクカバー２との間を離すことが可能な厚みがあればよいことになる。よって、ディスクドライブの厚みを極めて薄くすることができる。
【００５４】
　さらに、上記ディスクドライブでは、ディスクカバー２をディスク１から分離した状態で、横方向からヘッド１１を挿入する構成となっている。すなわち、ヘッド１１は平面内で移動させればいいので、例えばヘッド１１を上下方向にも移動させる必要があるような構成と比較して、アクチュエータ１２におけるヘッド１１の移動制御を簡素化することができる。
【００５５】
　次に、ディスクカートリッジにおいて、ディスク１とディスクカバー２とをロックする機構について説明する。上記で図１に示したディスクカートリッジは、ディスク１とディスクカバー２とは、ディスク１のハブ部４を構成する磁性体と、ディスクカバー２における内周側ディスク当接部５に含まれている磁性体との磁力によって接合されている構成となっている。このような構成では、ディスク１とディスクカバー２とを比較的容易に分離することができてしまうので、ディスク１の光入射側面を的確に保護することができないことも考えられる。そこで、以下に示すような構成によって、ディスク１とディスクカバー２との接合状態をロックするようにしてもよい。
【００５６】
　図６は、ロック機構を有するディスクカートリッジの中心部近傍を拡大して示す断面図である。同図に示すように、ディスク１におけるディスクカバー２側の面における中心部に、ディスク凸部２４が設けられている。このディスク凸部２４は、図６において下方から見た際には、ディスク１と同心の円形となっている。そして、このディスク凸部２４の径は、ディスクカバー２の開口部６の径よりも若干小さくなるように設定されており、ディスク１とディスクカバー２とが接合している状態では、ディスク凸部２４が開口部６に挿入された状態となる。
【００５７】
　また、ディスク凸部２４の側面、言い換えれば、ディスク１の面に対して垂直な面で、開口部６に対向する面に、くびれ（凹部）２４Ａが設けられている。また、ディスクカバー２には、突起部（凸状部）２５が、横方向、言い換えれば、ディスク１の面に平行な方向に移動可能な状態で設けられている。
【００５８】
　この突起部２５は、ディスク１とディスクカバー２との接合状態を解除する際には、図６中の破線で示すように、ディスクカバー２の開口部６に接する位置に配置される。そして、ディスク１とディスクカバー２との接合状態をロックする際には、突起部２５を中心方向に移動させ、該突起部２５がディスク凸部２４におけるくびれ２４Ａに嵌入した状態となるようにする。さらに、くびれ２４Ａを中心方向に移動させると、ディスク凸部２４もそれに伴って横方向に移動し、突起部２５が当接している側とは反対側の側面が、ディスクカバー２における開口部６に接することになる。この状態では、ディスク１は、突起部２５がくびれ２４Ａに引っ掛かっていることによって、ディスクカバー２から分離できなくなっているので、ディスク１とディスクカバー２との接合状態がロックされていることになる。
【００５９】
　なお、上記のくびれ２４Ａは、ディスク凸部２４の側面全体、すなわち円柱面全体にわたって一周するように設けられていてもよいし、側面の一部に設けられていてもよい。また、上記の突起部２５は、くびれ２４Ａが円柱面全体に一周するように設けられている場合には、このくびれ２４Ａ全体を囲うような形状、例えば円形形状となっていてもよいし、一か所で突起しているような形状となっていてもよい。さらに、ディスク凸部２４の周囲の複数の箇所に突起部２５…を設けておき、これらの突起部２５…を中心方向に移動させてくびれ２４Ａに嵌入させることによってロックする構成としてもよい。
【００６０】
　また、図６に示すロック機構の構成とは異なる構成として、図７（ａ）および図７（ｂ）に示すような構成がある。同図（ｂ）は、ディスクカートリッジを上面側、すなわちディスク１側から見た際の平面図であり、同図（ａ）は、同図（ｂ）中のａ−ａ’線における断面図である。
【００６１】
　これらの図に示すように、ディスクカバー２における上面側に、ディスク１の外周部をロックするためのディスク保持用ロック２６・２６が設けられている。これらのディスク保持用ロック２６・２６は、四角形状のディスクカバー２における対角線上の２つの角の近傍に設けられている。そして、各ディスク保持用ロック２６は、軸部２６Ａを中心に回動自在になっており、回動角度によって、ディスク１をロックした状態と、ロックを解除した状態とが切り換えられる構成となっている。
【００６２】
　ディスク１をロックした状態では、２つのディスク保持用ロック２６・２６は、それぞれの先端部が、ディスク１の外周部の上面側に重なるような角度位置に設定される。これにより、ディスク１は、中心を含む直線上にある２か所の外周部において、下側からは外周側ディスク当接部７によって、上側からはディスク保持用ロック２６によって挟持されることになる。すなわち、この状態では、ディスク１は、ディスクカバー２から上側に外れないことになる。
【００６３】
　一方、ディスク１のロックを解除した状態では、２つのディスク保持用ロック２６・２６は、それぞれの先端部が、ディスク１の外周部の上面側に重ならないような角度位置に設定される。この状態では、ディスク１は、上側への移動を制限するものがなくなるので、ディスク１とディスクカバー２とが分離可能となる。
【００６４】
　このディスク保持用ロック２６の角度位置の切替えを行う機構としては、次のような構成が挙げられる。まず、ディスク保持用ロック２６に、凸部２７を設けるとともに、ディスクカバー２の側壁にガイド溝２８を設ける。そして、ディスク保持用ロック２６がロック状態にある時には、凸部２７がガイド溝２８に突出する一方、ディスク保持用ロック２６が解除状態にある時には、凸部２７がガイド溝２８の底部よりも内側に埋没するように設定する。
【００６５】
　このような構成とした場合、例えばディスクカートリッジをディスクドライブの外部に出している状態では、ディスク保持用ロック２６がロック状態となり、凸部２７がガイド溝２８内で突出していることになる。この凸部２７の突出は、ガイド溝２８の内部で行われるので、外部からこの凸部２７に触れることは容易ではなく、ロック状態を維持することができる。
【００６６】
　一方、ディスクカートリッジをディスクドライブに挿入した際には、ディスクドライブに予め設けられた、ガイド溝２８に沿うような凸状部材が、ディスクカートリッジの挿入にともなってガイド溝２８を移動し、上記凸部２７を押すような構成としておく。これにより、ディスクカートリッジがディスクドライブ内に挿入されると、ディスク保持用ロック２６が解除されることになる。
【００６７】
　なお、図７（ｂ）に示した構成では、ディスク保持用ロック２６がディスクカバー２の上面側に２か所設けられた構成となっているが、これに限定されるものではなく、３か所以上に設けた構成としてもかまわない。また、１か所でディスク１のロックを行うことができるような構成としてもかまわない。
【００６８】
　次に、ディスクカートリッジの形状の具体的な構成例について説明する。図８（ａ）および図８（ｂ）は、ディスクカートリッジの形状の１具体例を示している。同図（ｂ）は、ディスクカートリッジを上面側、すなわちディスク１側から見た際の平面図であり、同図（ａ）は、同図（ｂ）中のａ−ａ’線における断面図である。
【００６９】
　同図（ａ）および同図（ｂ）に示すディスクカートリッジでは、上側から見た際に、ディスクカバー２の一部が欠けている形状となっている。具体的には、ディスクカバー２は、中心点から放射状に４等分した１つの領域において、ディスク１よりも外側となる部分が削除された形状となっている。この領域では、同図（ａ）に示すように、ディスクカバー２の側壁は存在せず、ディスク１の外周部は外部に露出した状態となっている。
【００７０】
　このような構成のディスクカートリッジに対して記録再生動作を行うディスクドライブは、上記のディスクカバー２における側壁が存在しない領域においてヘッドを挿入する構成とする。すると、図４（ａ）ないし図４（ｄ）において説明したディスクドライブの動作において、ディスクカバー２を下げる量を小さくすることができる。これは、ヘッド１１の挿入が、ディスクカバー２の側壁がない領域で行われるので、ヘッド１１の挿入に必要なディスク１とディスクカバー２との間の距離を小さくすることができるからである。
【００７１】
　詳しく説明すると、ディスクカバー２の側壁がヘッド１１の挿入領域にも存在している場合には、ディスク１の下面と、ディスクカバー２の側壁の上面との間の距離が、ヘッド１１の挿入に必要な間隔となる。これに対して、図８（ａ）および図８（ｂ）に示すディスクカートリッジを用いた場合には、ディスク１の下面と、ディスクカバー２に設けられた外周側ディスク当接部７の上端部との距離が、ヘッド１１の挿入に必要な間隔となる。図４（ａ）ないし図４（ｄ）などに示すように、ディスクカバー２の側壁の高さは、外周側ディスク当接部７の高さよりも高いものであるので、図８（ａ）および図８（ｂ）に示すようなディスクカートリッジを用いれば、ディスクカバー２の下げ量を少なくすることが可能となる。したがって、ディスクドライブ自体の厚み（上下方向の高さ）を小さくすることが可能となる。
【００７２】
　なお、図８（ａ）および図８（ｂ）に示す構成において、ヘッドが挿入される領域では、外周側ディスク当接部７を設けない構成としてもよい。この場合には、ディスクドライブ内でのディスクカバーの下げ量をさらに小さくすることができるので、さらにディスクドライブ自体の厚みを小さくすることができる。
【００７３】
　また、図８（ａ）および図８（ｂ）に示すディスクカートリッジとは異なる構成のものとして、図９に示すようなディスクカートリッジとしてもよい。図９に示すディスクカートリッジは、ディスクカバー２の側壁の一部が開閉可能な構成となっている。すなわち、ディスクカバー２に、外側方向に開閉可能な側壁部２Ｗが設けられている。
【００７４】
　このようなディスクカートリッジの場合、ディスクドライブの外部にある状態では、側壁部２が閉じている一方、ディスクドライブに挿入された際には、側壁部２が開かれた状態となってヘッドの挿入が行われる。これにより、上記と同様に、ヘッドを挿入するのに必要なディスクカバー２の下げ量を小さくすることができるので、ディスクドライブ自体の厚みを小さくすることができる。また、ディスクドライブの外部にある状態では、側壁部２が閉じた状態となるので、横方向からの衝撃にも強い構造となっている。
【００７５】
　〔実施の形態２〕
　本発明の実施の他の形態について図面に基づいて説明すれば、以下のとおりである。なお、前記した実施の形態１で説明した構成と同様の機能を有する構成には同一の符号を付記し、その説明を省略する。
【００７６】
　まず、本実施形態に係るディスクカートリッジについて説明する。実施の形態１で示したディスクカートリッジは、ディスクドライブ内で記録再生動作を行う際には、ディスク１とディスクカバー２とを分離し、両者の間にヘッドを挿入する構成となっている。これに対して、本実施形態に係るディスクカートリッジは、ディスクカバー２にシャッターを設け、このシャッターを開閉することによって、ヘッドをディスク１に対してアクセスさせる構成となっている。
【００７７】
　図１０（ａ）および図１０（ｂ）は、ディスクカートリッジを上側から見た際の斜視図、図１１（ａ）および図１１（ｂ）は、ディスクカートリッジを下側から見た際の斜視図である。なお、図１０（ａ）および図１１（ａ）は、シャッター３０が閉じた状態、図１０（ｂ）および図１１（ｂ）は、シャッター３０が開いた状態を示している。これらの図に示すように、ディスクカバー２には、シャッター３０が設けられており、該シャッター３０は、横方向（ディスクカバー２における面内方向）に移動することによって、ディスクカートリッジの下面側におけるディスク１の露出／非露出を切り換えることが可能となっている。なお、その他の構成については、実施の形態１において図１（ａ）および図１（ｂ）などに示した構成と同様であるので、その説明を省略する。
【００７８】
　上記シャッター３０は、上記のように、ディスクカートリッジの下面側におけるディスク１の露出／非露出を切り換える機能を有するとともに、ディスクカートリッジがディスクドライブの外部にある状態に、ディスク１をディスクカバー２に固定する機能をも有している。図１２（ａ）は、シャッター３０が閉じた状態において、ディスクカートリッジを下側から見た際の平面図を示しており、図１２（ｂ）は、同図（ａ）中のａ−ａ’線における断面図を示している。なお、図１２（ｂ）では、ディスクカバー２が上側、ディスク１が下側に配置された状態を示しており、今までの説明とは上下が逆になっている。
【００７９】
　これらの図に示すように、ディスク１の中心部に、ハブ３２が設けられている。このハブ３２は、ディスクカバー２側にフランジ状に突出した形状となっている。一方、シャッター３０には、シャッター３０が開く際に移動する方向とは逆の方向に開口した、ハブ保持用切り欠け部３１が形成されている。そして、シャッター３０が閉じた状態において、ハブ３２のフランジ部が、ハブ保持用切り欠け部３１によって掛止される。
【００８０】
　図１３（ａ）は、シャッター３０が開いた状態において、ディスクカートリッジを下側から見た際の平面図を示しており、図１３（ｂ）は、同図（ａ）中のａ−ａ’線における断面図を示している。なお、上記と同様に、図１３（ｂ）では、ディスクカバー２が上側、ディスク１が下側に配置された状態を示しており、今までの説明とは上下が逆になっている。
【００８１】
　これらの図に示すように、シャッター３０が左方向に移動して開状態となると、ハブ３２のフランジ部が、ハブ保持用切り欠け部３１によって掛止された状態から開放される。これにより、ディスク１は、ディスクカバー２に対する固定状態から開放される。
【００８２】
　次に、上記ディスクカートリッジに対して記録再生動作を行うディスクドライブについて、以下に説明する。図１４は、該ディスクドライブに対してディスクカートリッジを挿入している状態を示す斜視図である。同図に示すように、該ディスクドライブは、ドライブケース３６に、カートリッジホルダー３３、スピンドルモータ３４、およびヘッド３５を備えた構成となっている。スピンドルモータ３４は、記録再生動作時に、ディスク１を回転させるためのモータである。ヘッド３５は、記録再生動作を行うヘッドであり、ドライブケース３６の下部において、ディスクカートリッジの挿脱方向と垂直な方向にアクセス移動可能な状態で配置されている。
【００８３】
　このディスクドライブに対してディスクカートリッジを挿入する際には、カートリッジホルダー３３をドライブケース３６から上面側に斜めにリフトさせ、カートリッジホルダー３３の側面に設けられたディスクカートリッジ挿入口を露出させることによって挿入が行われる。
【００８４】
　その後、図１４における丸付き数字１の矢印で示す方向にディスクカートリッジを押し込み、カートリッジホルダー３３の奥までディスクカートリッジが到達した後に、同図における丸付き数字２の矢印で示す方向にカートリッジホルダー３３をドライブケース３６に対して押し込むことによって、ディスクカートリッジの装填が完了する。図１５（ａ）は、ディスクカートリッジが、カートリッジホルダー３３の奥まで到達した時点における、図１４中のａ−ａ’線での断面図を示しており、図１５（ｂ）は、ディスクカートリッジの装填が完了した時点における、図１４中のａ−ａ’線での断面図を示している。
【００８５】
　次に、ディスクカートリッジをカートリッジホルダー３３に挿入した際に、シャッター３０を開くための構成について説明する。図１６は、カートリッジホルダー３３にディスクカートリッジを挿入し、シャッター３０が開かれる直前の状態を示す説明図である。同図において、ディスクカートリッジは、左方から右方に向けて挿入されることになる。同図中において、Ｂで示す領域内に、シャッター３０の開閉を行うための機構が存在している。図１７（ａ）は、上記のＢで示す領域を拡大して示す説明図であり、同図（ｂ）は、同図（ａ）のＡ−Ａ’線における断面図である。
【００８６】
　図１７（ａ）に示すように、シャッター３０には、シャッターロック３８が設けられており、シャッター３０が閉じた状態では、該シャッターロック３８は、ディスクカバー２側に設けられたシャッターロック掛止部３８Ａに掛止されている。ここで、ディスクカートリッジをカートリッジホルダー３３に挿入すると、カートリッジホルダー３３に設けられているシャッターロック解除バー３７が、シャッターロック３８をシャッターロック掛止部３８Ａから引き上げるように、シャッターロック３８に当接する。これにより、シャッター３０が閉じた状態を維持するためのロック機構が解除される。
【００８７】
　また、図１７（ｂ）に示すように、カートリッジホルダー３３には、シャッター開閉バー３９が設けられている。そして、シャッターロック解除バー３７がシャッターロック３８の掛止状態を解除するのとほぼ同時に、シャッター開閉バー３９がシャッター３０に設けられているシャッター開閉穴４０に嵌入する。
【００８８】
　その後、ディスクカートリッジをカートリッジホルダー３３のさらに奥に押し込んでいくと、シャッター開閉バー３９が、シャッター開閉穴４０を押すことによってシャッター３０が開いていく。そして、ディスクカートリッジがカートリッジホルダー３３の奥まで到達した時点で、図１８に示すように、シャッター３０が全開状態となる。
【００８９】
　ここで、比較例として、従来のディスクカートリッジおよびこれに対応した従来のディスクドライブについて説明する。図１９は、従来のディスクカートリッジの概略構成を示す断面図である。同図に示すように、従来のディスクカートリッジは、ディスク８１、アッパーシェル８２Ｕ、ローアーシェル８２Ｌ、およびシャッター８３などを備えた構成となっている。ディスク８１は、図示はしないが、透光性を有する材料からなるディスク基板と、該ディスク基板の上面側（光入射側とは反対側）に設けられた記録膜などから構成されている。そして、ディスク８１は、その下面側がローアーシェル８２Ｌで覆われているとともに、その上面側もアッパーシェル８２Ｕで覆われている。すなわち、従来のディスクカートリッジは、アッパーシェル８２Ｕとローアーシェル８２Ｌとで囲われた空間内にディスク８１が配置されている構成となっている。
【００９０】
　図２０（ａ）および図２０（ｂ）は、従来のディスクカートリッジを上側から見た際の斜視図、図２１（ａ）および図２１（ｂ）は、従来のディスクカートリッジを下側から見た際の斜視図である。なお、図２０（ａ）および図２１（ａ）は、シャッター８３が開いた状態、図２０（ｂ）および図２１（ｂ）は、シャッター８３が閉じた状態を示している。これらの図に示すように、シャッター８３は、ディスクカートリッジの上面側および下面側にわたって設けられており、該シャッター８３が、横方向（ディスクカートリッジにおける面内方向）に移動することによって、ディスクカートリッジの上面側および下面側におけるディスク８１の露出／非露出を切り換えることが可能となっている。
【００９１】
　ここで、図１（ａ）に示す本実施形態のディスクカートリッジと、図１９に示す従来のディスクカートリッジとを比較すると、本実施形態のディスクカートリッジの方が、ディスク１の上側にディスクカバーがない分だけ、その厚みが薄くなっていることがわかる。すなわち、本実施形態のディスクカートリッジによれば、その厚みを薄くすることができるので、持ち運びに便利であるとともに、ディスクカートリッジを保管する際に必要とされるスペースをより少なくすることが可能となる。
【００９２】
　次に、本実施形態のディスクカートリッジを利用するディスクドライブと、従来のディスクカートリッジを利用するディスクドライブとを比較する。図２２は、図１４に示した本実施形態のディスクドライブの、ｂ−ｂ’線における断面図である。一方、図２３は、図１９などに示した従来のディスクカートリッジを利用するディスクドライブの断面図である。
【００９３】
　本実施形態のディスクドライブにおけるヘッド３５は、実施の形態１において、図３を参照しながら説明したヘッド１１と同様の構成となっており、磁界を印加するための磁気ヘッド部と、レーザ光の出射および検出を行う光学ヘッド部とを備えている。すなわち、本ディスクドライブでは、ディスク１の下部にのみ、記録再生動作を行うためのヘッド３５が配置されている。
【００９４】
　一方、図２３に示す従来のディスクカートリッジでは、ディスク８１の下側に、レーザ光の出射および検出を行う光学ヘッド８５が設けられているとともに、ディスク８１の上側にも、磁界を印加するための磁気ヘッド８４を設けられている。これは、ディスク８１の上面側に記録膜が設けられており、磁界の印加をディスク８１の上側から行わないと、記録に必要な磁界の強度を確保できないからである。また、ディスクカートリッジを挿入した後に、磁気ヘッド８４をディスク８１に近づける必要があるので、ディスクカートリッジの上面と、ディスクドライブの上面カバーとの間には、磁気ヘッド８４を上下方向に移動させるスペースが必要となっている。
【００９５】
　すなわち、本実施形態のディスクドライブは、従来のディスクドライブと比較して、従来のディスクカートリッジにおけるアッパーシェル８２Ｕの厚み、磁気ヘッド８４の高さおよび移動スペースの分だけ、装置の厚みを薄くできることになる。例えば、従来のディスクカートリッジとして、ＭＤ(Mini Disc)を想定した場合、アッパーシェルの厚みとしては２．５ｍｍ、磁気ヘッドの移動スペースとしては１．５ｍｍ程度必要とされるので、本実施形態のディスクドライブは、従来のディスクドライブと比較して、装置の厚みを４ｍｍ程度薄くすることができる。
【００９６】
　〔実施の形態３〕
　本発明の実施のさらに他の形態について図面に基づいて説明すれば、以下のとおりである。なお、前記した各実施の形態で説明した構成と同様の機能を有する構成には同一の符号を付記し、その説明を省略する。
【００９７】
　本実施形態では、実施の形態２において図１４などを参照しながら説明したディスクドライブとは異なるローディング方式のディスクドライブについて説明する。実施の形態２におけるディスクドライブでは、カートリッジホルダー３３を、ディスクドライブの上面側に引き出してディスクカートリッジを挿入し、その後カートリッジホルダー３３をディスクドライブに収納する、というローディング方式であった。これに対して、本実施形態では、ディスクドライブの側面にディスクカートリッジ挿入口を設けておき、ディスクドライブの内部でカートリッジホルダー３３を下方向に移動させる、いわゆるフロントローディング方式となっている。
【００９８】
　図２４（ａ）は、本実施形態に係るディスクドライブにおける、ディスクカートリッジのローディング機構を示す平面図であり、同図（ｂ）は、同図（ａ）の側面図である。また、図２５は、図２４（ａ）および図２４（ｂ）に示すローディング機構の斜視図となっている。
【００９９】
　これらの図に示すように、上記ローディング機構は、カートリッジホルダー３３の挿脱方向に対する両側に、第１および第２のレール４１・４２がそれぞれ１本ずつ配置された構成となっている。第２のレール４２は、図示しないディスクドライブ本体に固定されている一方、第１のレール４１は、第２のレール４２に対して、ディスクカートリッジの挿脱方向にスライドするようになっている。
【０１００】
　また、カートリッジホルダー３３の挿脱方向に対する両側には、軸部４４…が設けられている。さらに、第１のレール４１・４１には、それぞれ第１切り欠き穴４１Ａ…が設けられているとともに、第２のレール４２・４２にも、それぞれ第２切り欠き穴４２Ａ…が設けられている。そして、上記の各軸部４４は、それぞれに対応する第１切り欠き穴４１Ａ、および第２切り欠き穴４２Ａに、この順で貫通している。
【０１０１】
　ディスクカートリッジは、図２４（ａ）において丸付き数字１の矢印で示す方向でカートリッジホルダー３３に挿入される。その後、ディスクカートリッジの挿入がある程度まで進むと、ディスクカートリッジの挿入方向における先端側の側面が、カートリッジホルダー３３に設けられたカートリッジホルダーストッパー４５の当接アームに接触する。その後もディスクカートリッジの挿入が継続すると、カートリッジホルダーストッパー４５が、図中丸付き数字２の矢印で示す方向で回転し、ディスクドライブ本体に固定されている凸部４６から外れ、カートリッジホルダー３３が挿入方向に移動可能な状態となる。
【０１０２】
　ここで、第１のレール４１は、スプリング４３によって常に挿入方向に引っ張られている状態となっている。よって、カートリッジホルダーストッパー４５が上記のように凸部４６から外れると、第１のレール４１は、軸部４４…を伴って、第２のレール４２における第２切り欠き穴４２Ａ…の水平方向の経路に沿って移動する。そして、軸部４４…が第２切り欠き穴４２Ａ…の水平方向の経路の終端まで移動すると、今度は、第１のレール４１における第１切り欠き穴４１Ａ…の形状による作用により、軸部４４…が、第２切り欠き穴４２Ａ…の上下方向の経路に沿って下方向に移動する。
【０１０３】
　以上のような作用により、カートリッジホルダー３３は、ディスクカートリッジの挿入に伴って挿入方向に移動した後に、下方向に移動することになる。図２６（ａ）は、上記ローディング機構において、ディスクカートリッジの挿入が完了した状態を示す平面図であり、同図（ｂ）は、同図（ａ）の側面図である。また、図２７は、図２６（ａ）および図２６（ｂ）に示すローディング機構の斜視図となっている。
【０１０４】
　以上のような構成のローディング機構は、例えば実施の形態１において、図４（ａ）ないし図４（ｄ）に示したディスクドライブに適用することが可能である。すなわち、カートリッジホルダー３３が下方向に移動される際に、ディスクカバー２のみを下に移動させ、ディスク１をスピンドルモータ９上に残しておく、というような動作を実現することができる。
【０１０５】
　また、実施の形態２において示した、シャッター３０を備えたディスクカートリッジを利用するディスクドライブにおいても、上記のようなローディング機構を設けることによって、フロントローディング方式を採用することが可能となる。なお、このようなディスクドライブにおいて、ディスクカートリッジを挿入の最後に下方向に移動させるのは、ディスクカートリッジにおけるディスク１を、ヘッドに近づけることを目的としている。
【０１０６】
　以上、各実施の形態において説明したように、実施の形態に係るディスクカートリッジは、情報の記録および／または再生が行われる記録層が設けられた、円盤形状のディスクと、上記ディスクの片側の面における少なくとも一部の領域を覆うように設けられたディスクカバーと、上記ディスクと上記ディスクカバーとを接続する接続手段とを備え、上記ディスクにおける上記ディスクカバーが設けられている面とは反対側の面が外部に露出していることを特徴としている。
【０１０７】
　上記の構成によれば、記録層が設けられたディスクに対して、その片側の面のみを覆うように、ディスクカバーが設けられており、ディスクとディスクカバーとは、接続手段によって接続された構成となっている。したがって、ディスクカートリッジ全体の厚みとしては、ディスクの厚みと、ディスクの片側のみに設けられたディスクカバーの厚みのみとなる。よって、例えばディスクの両側にディスクカバーが設けられているディスクカートリッジと比較して、ディスクカートリッジ全体の厚みをより薄くすることができる。すなわち、ディスクカートリッジの厚みが薄くなることにより、保管時に必要とされるスペースの削減、携帯性の向上、該ディスクカートリッジに対応するディスクドライブにおける厚みの低減、などを実現することができる。
【０１０８】
　また、ディスクに対して情報の記録および／または再生を行うためのヘッドが接近する側の記録再生面を、上記ディスクカバーによって覆われる面とすることによって、記録再生面に対する傷の発生や、ほこりや汚れの付着などを防止することができる。よって、信頼性の高いディスクカートリッジを提供することができる。
【０１０９】
　また、実施の形態に係るディスクカートリッジは、上記の構成において、上記ディスクが、ディスク基板上に、上記記録層と、透光性を有する保護層とがこの順で配置された構成となっているとともに、上記ディスクカバーが上記ディスクにおける保護層が形成されている側の面の少なくとも一部の領域を覆うように設けられており、上記ディスクに対して保護層が形成されている側の面から光を照射することによって情報の記録および／または再生が行われる構成としてもよい。
【０１１０】
　上記の構成によれば、ディスクに対して記録および／または再生を行う際には、透光性を有する保護層が形成されている側の面から記録層に対して光を照射することになる。したがって、例えば従来の光ディスクのように、透光性を有するディスク基板を透過させて記録層に対して光を照射する構成と比較して、光を出射するヘッドと記録層との間の距離が短くなる。これはすなわち、光を出射するヘッドにおいて、光を記録層上にフォーカスさせる対物レンズの焦点距離が短くなるので、ヘッドにおける対物レンズおよびその他の光学部品のサイズを小さくすることが可能となる。したがって、ヘッドのサイズを小さくすることができるので、ディスクドライブの厚みを減少させることができるとともに、ヘッドのアクセススピードを向上させることができる。
【０１１１】
　また、ディスク基板には光を透過させる必要がないので、ディスク基板を構成する材料としては透光性を有する必要がなくなる。したがって、ディスク基板を構成する材料の選定の幅が広がることにより、ディスクの強度を高めることや、材料コストを低減することなどが可能となる。
【０１１２】
　また、実施の形態に係るディスクカートリッジは、上記の構成において、上記ディスクカバーが、上記ディスクと接続されている状態において、該ディスクの外周近傍に当接する外周側当接部を備えている構成としてもよい。
【０１１３】
　上記の構成によれば、ディスクとディスクカバーとが接続されている状態では、ディスクの外周部は、ディスクカバーに設けられた外周側当接部と当接しているので、ディスクの外周部から、ディスクとディスクカバーとに囲まれた空間内に、ほこりなどの異物が侵入することを抑制することができる。よって、ディスクにおけるディスクカバーによって保護されている領域の防塵性を向上することができる。
【０１１４】
　また、実施の形態に係るディスクカートリッジは、上記の構成において、上記外周側当接部が、弾性を有する材料によって構成されている構成としてもよい。
【０１１５】
　上記の構成によれば、外周側当接部が弾性を有しているので、例えばディスクカートリッジに対して外部から衝撃が加わった際にも、外周側当接部の弾性によってこれを吸収することが可能となる。よって、ディスクの破損の可能性を低減することが可能となり、耐衝撃性の高いディスクカートリッジを提供することができる。
【０１１６】
　また、実施の形態に係るディスクカートリッジは、上記の構成において、上記ディスクカバーが、上記ディスクと接続されている状態において、該ディスクの内周近傍に当接する内周側当接部を備えている構成としてもよい。
【０１１７】
　上記の構成によれば、ディスクとディスクカバーとが接続されている状態では、ディスクの内周部は、ディスクカバーに設けられた内周側当接部と当接しているので、ディスクの内周部から、ディスクとディスクカバーとに囲まれた空間内に、ほこりなどの異物が侵入することを抑制することができる。よって、ディスクにおけるディスクカバーによって保護されている領域の防塵性を向上することができる。
【０１１８】
　また、実施の形態に係るディスクカートリッジは、上記の構成において、上記内周側当接部が、弾性を有する材料によって構成されている構成としてもよい。
【０１１９】
　上記の構成によれば、内周側当接部が弾性を有しているので、例えばディスクカートリッジに対して外部から衝撃が加わった際にも、内周側当接部の弾性によってこれを吸収することが可能となる。よって、ディスクの破損の可能性を低減することが可能となり、耐衝撃性の高いディスクカートリッジを提供することができる。
【０１２０】
　また、実施の形態に係るディスクカートリッジは、上記の構成において、上記接続手段が、上記ディスクの内周部に設けられた、磁性体を備えたハブ部と、上記ディスクカバーにおいて、上記ディスクの内周近傍に当接する、磁性体を備えた内周側当接部とによって構成されており、上記ハブ部と、上記内周側当接部との間の磁気吸着力によって、ディスクとディスクカバーとの接続を保持している構成としてもよい。
【０１２１】
　上記の構成によれば、ディスクとディスクカバーとの接続は、ディスクにおけるハブ部と、ディスクカバーにおける内周側当接部との間の磁気吸着力によって保持されるので、通常は、ディスクとディスクカバーとは接続されている状態となるが、上記磁気吸着力以上の外力を加えれば、ディスクとディスクカバーとを分離することが可能となる。したがって、ディスクとディスクカバーとの接続／非接続を容易に変化させることができる。
【０１２２】
　また、実施の形態に係るディスクカートリッジは、上記の構成において、上記ディスクの内周部に、ディスクカバーが設けられている側に突出したディスク凸部が設けられているとともに、上記ディスク凸部の側壁に凹部が設けられているとともに、上記ディスクカバーに、上記凹部に対して挿脱自在な凸状部が設けられている構成としてもよい。
【０１２３】
　上記の構成によれば、ディスクの内周部に設けられたディスク凸部の側壁に、凹部が設けられているとともに、ディスクカバー側には、上記凹部に挿脱自在な凸状部が設けられていることになる。よって、ディスクカバー側の凸状部を、ディスク凸部における凹部に挿入した状態では、ディスクとディスクカバーとの接続が保持される一方、上記凸状部を上記凹部から抜き出した状態では、ディスクとディスクカバーとの接続が解除されることになる。これにより、ディスクとディスクカバーとの接続／非接続を容易に切り換えることができるとともに、ディスクとディスクカバーとの接続は、上記凸状部を上記凹部に挿入するという機械的な構成によって行われるので、高い接続強度を実現することができる。
【０１２４】
　また、実施の形態に係るディスクカートリッジは、上記の構成において、上記ディスクカバーに、上記ディスクの外周部を機械的に保持するディスク保持用ロックが設けられ、該ディスク保持用ロックが、上記ディスクの外周部の保持／非保持の切替え可能である構成としてもよい。
【０１２５】
　上記の構成によれば、ディスクとディスクカバーとの接続状態が、ディスクカバーに設けられた、ディスクの外周部の保持／非保持の切替え可能なディスク保持用ロックによって、切り換えることが可能となっている。よって、ディスクとディスクカバーとの接続／非接続を容易に切り換えることができるとともに、ディスクとディスクカバーとの接続は、機械的な構成によって行われるので、高い接続強度を実現することができる。
【０１２６】
　また、実施の形態に係るディスクカートリッジは、上記の構成において、上記保護層が、０から２０μｍの間の厚みである構成としてもよい。
【０１２７】
　上記の構成によれば、保護層の厚みの上限が２０μｍとなっている。この厚みによれば、ディスクに対して磁界を印加しながら記録動作を行う場合に、保護層が設けられている側から記録に必要な磁界強度の磁界を印加させることが可能となる。よって、レーザ光を照射する光学ヘッド部と、磁界を印加する磁気ヘッド部とを、ディスクに対する保護層側の面の外部に配置することが可能となる。すなわち、従来のように、ディスクの光入射側の面とは反対側の面から磁気ヘッドによる磁界印加を行う必要がないので、ディスクの光入射側の面とは反対側の面の摺動性を考慮する必要がなくなる。また、光学ヘッド部および磁気ヘッド部を、ディスクの一方の面側に配置することになるので、従来のように、ディスクの一方の面側に光学ヘッド、もう一方の面側に磁気ヘッドを配置する構成と比較して、ディスクドライブ自体の厚みを低減することができる。
【０１２８】
　また、上記の構成によれば、保護層の厚みの下限は０となっている。これは、保護層を設けない構成に相当するものである。これは、保護層を設けなくても、記録層は、基本的にはディスクカバーによって保護されることになるので、外部からの衝撃によって記録層に傷が生じたり、ほこりや汚れなどが付着する可能性が極めて低いからである。
【０１２９】
　また、実施の形態に係るディスクカートリッジは、上記の構成において、上記ディスク基板が、帯電防止性を有している材料によって構成されている構成としてもよい。
【０１３０】
　上記の構成によれば、ディスク基板が、帯電防止性を有していれば、上記記録層が磁性層を備えるような場合でも、ディスク基板が帯電することによる記録データへの悪影響をなくすことができる。
【０１３１】
　また、実施の形態に係るディスクカートリッジは、上記の構成において、上記ディスク基板が、樹脂類、金属類、または硝子類によって構成されている構成としてもよい。
【０１３２】
　上記の構成において、ディスク基板を樹脂類で構成した場合には、次のような利点がある。すなわち、樹脂類は、圧縮成形できるので大量生産に適しているとともに、材料が安価であるという利点があるので、ディスク基板の材料コストおよび製造コストを低減することができる。また、ディスク基板を金属類で構成した場合には、次のような利点がある。すなわち、金属類は、プレス加工によって容易に生産ができるとともに、材料が安価でかつ強度が高いという利点があるので、ディスク基板の材料コストおよび製造コストを低減することができる。また、ディスク基板を硝子類で構成した場合には、次のような利点がある、すなわち、硝子類は、平面性および硬度が高く、光学的に安定しているという利点を有しているので、信頼度の高いディスク基板を提供することができる。
【０１３３】
　また、上記の樹脂類、金属類、または硝子類は、ある程度の硬度を有する材料とすることができるので、ディスクカバーが設けられていない方の面における傷の発生などを最小限にすることができる。
【０１３４】
　また、実施の形態に係るディスクカートリッジは、上記の構成において、上記保護層が、帯電防止性を有する材料によって構成されている構成としてもよい。
【０１３５】
　上記の構成によれば、上記保護層が、帯電防止性を有していれば、上記記録層が磁性層を備えるような場合でも、保護層が帯電することによる記録データへの悪影響をなくすことができる。
【０１３６】
　また、実施の形態に係るディスクカートリッジは、上記の構成において、上記保護層が、その表面において摺動性を有する材料によって構成されている構成としてもよい。
【０１３７】
　上記の構成によれば、上記保護層の表面は摺動性を有することになるので、記録再生を行うためのヘッドがディスクに近接した場合に、不要な抵抗やヘッドとディスクの間の空気層の乱れなどをなくすことができる。
【０１３８】
　また、実施の形態に係るディスクカートリッジは、上記の構成において、上記保護層が、樹脂類、または硝子類によって構成されている構成としてもよい。
【０１３９】
　上記の構成において、保護層を樹脂類で構成した場合には、次のような利点がある。すなわち、樹脂類は、圧縮成形できるので大量生産に適しているとともに、材料が安価であるという利点があるので、材料コストおよび製造コストを低減することができるとともに、帯電防止性や表面の摺動性を実現することができる。また、保護層を硝子類で構成した場合には、次のような利点がある、すなわち、硝子類は、平面性および硬度が高く、光学的に安定しているという利点を有しているので、信頼度の高い保護層を提供することができるとともに、帯電防止性や表面の摺動性を実現することができる。また、樹脂類および硝子類は、透光性を有する材料とすることができるので、記録または再生時において、光ビームを的確に記録層に照射させることができる。
【０１４０】
　また、実施の形態に係るディスクカートリッジは、上記の構成において、上記ディスクカバーの少なくとも一部が、樹脂類、または金属類によって構成されている構成としてもよい。
【０１４１】
　上記の構成において、ディスクカバーを樹脂類で構成した場合には、次のような利点がある。すなわち、樹脂類は、圧縮成形できるので大量生産に適しているとともに、材料が安価であるという利点があるので、ディスクカバーの材料コストおよび製造コストを低減することができる。また、ディスクカバーを金属類で構成した場合には、次のような利点がある。すなわち、金属類は、プレス加工によって容易に生産ができるとともに、材料が安価でかつ強度が高いという利点があるので、ディスクカバーの材料コストおよび製造コストを低減することができる。
【０１４２】
　また、上記の樹脂類、および金属類は、ある程度の強度を有する材料とすることができるので、ディスクを的確に保護することが可能となる。
【０１４３】
　また、実施の形態に係るディスクカートリッジは、上記の構成において、上記ディスクカバーの外周部に、上記ディスク側に向けて突出した側壁が形成されている構成としてもよい。
【０１４４】
　上記の構成によれば、ディスクの外周部は、ディスクカバーの外周部に設けられた側壁によって保護されるので、横方向からの衝撃からディスクを保護することが可能となる。よって、耐衝撃性の強いディスクカートリッジを提供することができる。
【０１４５】
　また、実施の形態に係るディスクカートリッジは、上記の構成において、上記ディスクカバーの外周部における少なくとも一部に、上記側壁が形成されていない領域が存在する構成としてもよい。
【０１４６】
　上記の構成によれば、例えばディスクとディスクカバーとを分離し、両者の間にヘッドを挿入して記録および／または再生動作を行うディスクドライブを用いた場合、側壁が形成されていない領域からヘッドを挿入することが可能となる。この場合には、側壁が形成されている領域でヘッドを挿入する場合と比較して、ディスクとディスクカバーとを離す距離をより小さくすることが可能となる。よって、ディスクドライブ自体の厚みを低減することが可能となる。
【０１４７】
　また、実施の形態に係るディスクカートリッジは、上記の構成において、上記側壁の少なくとも一部が、開閉可能となっている構成としてもよい。
【０１４８】
　上記の構成によれば、上記と同様に、例えばディスクとディスクカバーとを分離し、両者の間にヘッドを挿入して記録および／または再生動作を行うディスクドライブを用いた場合、側壁を開いた領域からヘッドを挿入することが可能となる。この場合には、側壁が形成されている領域でヘッドを挿入する場合と比較して、ディスクとディスクカバーとを離す距離をより小さくすることが可能となる。よって、ディスクドライブ自体の厚みを低減することが可能となる。
【０１４９】
　また、実施の形態に係るディスクカートリッジは、上記の構成において、上記ディスクカバーに、上記ディスクの露出／非露出を切り換えるシャッターが設けられている構成としてもよい。
【０１５０】
　上記の構成によれば、ディスクカバーに設けられたシャッターによって、ディスクの露出／非露出が切り換えられることになる。よって、例えば持ち運び時や保存時にはシャッターを閉じておき、ディスクドライブ内で記録および／または再生動作を行う際にはシャッターを開いてヘッドを挿入する、というような動作を行うことができる。
【０１５１】
　また、実施の形態に係るディスクドライブは、上記のディスクカートリッジを用いるディスクドライブであって、上記ディスクに対して記録および／または再生を行うヘッドと、上記ディスクと上記ディスクカバーとを分離させる分離手段とを備え、記録および／または再生動作時には、上記分離手段によって上記ディスクと上記ディスクカバーとを分離させるとともに、該ディスクと該ディスクカバーとの間に、上記ヘッドを挿入することを特徴としている。
【０１５２】
　上記の構成によれば、分離手段によってディスクとディスクカバーとを分離させた後に、両者の間にヘッドを挿入することによって記録および／または再生動作が行われることになる。このような構成であれば、ディスクカートリッジとしては、ディスクとディスクカバーとの接続／非接続を切り換えるための構成のみを備えていればよいことになるので、ディスクカートリッジの構成の簡素化および単純化を図ることができる。
【０１５３】
　また、実施の形態に係るディスクドライブは、上記の構成において、上記ディスクを回転させるスピンドルモータをさらに備えるとともに、上記分離手段が、上記ディスクカバーを上記ディスクにおける回転軸方向に移動させる移動手段であり、ディスクカートリッジがスピンドルモータ上に挿入されると、上記ディスクを上記スピンドルモータ上に載置した状態で、上記移動手段によって上記ディスクカバーを移動させることによって、上記ディスクと上記ディスクカバーとの分離が行われる構成としてもよい。
【０１５４】
　上記の構成によれば、ディスクとディスクカバーとの分離は、スピンドルモータ上に挿入されたディスクカートリッジに対して、スピンドルモータ上にディスクを載置した状態で、ディスクカバーのみを移動させることによって行われることになる。すなわち、ディスクカートリッジが挿入された後に、ディスクカバーのみを移動させることによって記録および／または再生動作が可能な状態となるので、簡便な構成で、かつ短時間でディスクとディスクカバーとの分離を行うことができる。
【０１５５】
　また、実施の形態に係るディスクドライブは、上記の構成において、上記スピンドルモータが、上記ディスクを磁気吸着力によって保持する構成としてもよい。
【０１５６】
　上記の構成によれば、ディスクは、磁気吸着力によってスピンドルモータに保持されるので、スピンドルモータにディスクを保持させる機構を簡素な構成とすることができる。また、スピンドルモータがディスクを保持するのに必要とされる時間も短くすることができるので、短時間のセットアップが可能となる。
【０１５７】
　また、実施の形態に係るディスクドライブは、上記のディスクカートリッジを用いるディスクドライブであって、上記ディスクに対して記録および／または再生を行うヘッドと、上記シャッターの開閉を行うシャッター開閉手段とを備え、記録および／または再生動作時には、上記シャッター開閉手段によって上記シャッターが開かれることによって露出した上記ディスクに対して、上記ヘッドを近づけることを特徴としている。
【０１５８】
　上記の構成によれば、シャッター開閉手段によってディスクカートリッジのシャッターが開かれ、この開かれた領域からヘッドによって記録および／または再生動作が行われることになる。したがって、シャッターを開くという比較的単純な動作を行うことのみによって、ディスクカートリッジのディスクを露出することができるので、ディスクを露出するための構成を簡素化することができる。
【０１５９】
　また、実施の形態に係るディスクドライブは、上記の構成において、上記ヘッドが、上記ディスクに対して磁界の印加を行う磁気ヘッド部と、レーザ光の照射および検出を行う光学ヘッド部とを備えている構成としてもよい。
【０１６０】
　上記の構成によれば、ヘッド部が、磁界の印加を行う磁気ヘッド部と、レーザ光の照射および検出を行う光学ヘッド部とを備えているので、ディスクに対して片側の面から磁界の印加とレーザ光の照射とを行うことが可能となる。よって、例えば従来のように、ディスクの一方の面から磁界の印加を行い、もう一方の面からレーザ光の照射を行う構成と比較して、ディスクドライブ自体の厚みを薄くすることができる。
【産業上の利用可能性】
【０１６１】
　本発明は、例えば光磁気記録や相変化記録を行う光ディスクなどのディスク状記録媒体を備えたディスクカートリッジを用いるディスクドライブに利用できる。
【図面の簡単な説明】
【０１６２】
【図１】本発明の実施の一形態に係るディスクカートリッジの概略構成を示しており、同図（ａ）は断面図、同図（ｂ）は、同図（ａ）を上方向から見た際の平面図である。
【図２】上記ディスクカートリッジが備える外周側ディスク当接部の近傍を拡大して示した断面図である。
【図３】上記ディスクカートリッジが備えるディスク部、および該ディスク部に対して記録再生を行うヘッドの構成を示す説明図である。
【図４】同図（ａ）ないし同図（ｄ）は、本発明の実施の一形態に係るディスクドライブによるディスクカートリッジに対する記録再生動作の手順を示す説明図である。
【図５】同図（ａ）ないし同図（ｃ）は、図４（ａ）ないし図４（ｄ）において上方から見た際の様子を示す説明図である。
【図６】ロック機構を有するディスクカートリッジの中心部近傍を拡大して示す断面図である。
【図７】図６に示す構成とは異なる構成のロック機構を示しており、同図（ｂ）は、ディスクカートリッジを上面側から見た際の平面図であり、同図（ａ）は、同図（ｂ）中のａ−ａ’線における断面図である。
【図８】ディスクカートリッジの形状の１具体例を示しており、同図（ｂ）は、該ディスクカートリッジの平面図であり、同図（ａ）は、同図（ｂ）中のａ−ａ’線における断面図である。
【図９】ディスクカートリッジの形状の別の具体例を示す平面図である。
【図１０】本発明の実施の他の形態に係るディスクカートリッジを上側から見た際の斜視図であり、同図（ａ）は、シャッターが閉じた状態、同図（ｂ）は、シャッターが開いた状態を示している。
【図１１】図１０に示すディスクカートリッジを下側から見た際の斜視図であり、同図（ａ）は、シャッターが閉じた状態、同図（ｂ）は、シャッターが開いた状態を示している。
【図１２】同図（ａ）は、シャッターが閉じた状態において、ディスクカートリッジを下側から見た際の平面図であり、同図（ｂ）は、同図（ａ）中のａ−ａ’線における断面図である。
【図１３】同図（ａ）は、シャッターが開いた状態において、ディスクカートリッジを下側から見た際の平面図であり、同図（ｂ）は、同図（ａ）中のａ−ａ’線における断面図である。
【図１４】本発明の実施の他の形態に係るディスクドライブに対してディスクカートリッジを挿入している状態を示す斜視図である。
【図１５】同図（ａ）は、ディスクカートリッジが、カートリッジホルダーの奥まで到達した時点における、図１４中のａ−ａ’線での断面図を示しており、同図（ｂ）は、ディスクカートリッジの装填が完了した時点における、図１４中のａ−ａ’線での断面図を示している。
【図１６】カートリッジホルダーにディスクカートリッジを挿入し、シャッターが開かれる直前の状態を示す説明図である。
【図１７】同図（ａ）は、図１６中のＢで示す領域を拡大して示す説明図であり、同図（ｂ）は、同図（ａ）のＡ−Ａ’線における断面図である。
【図１８】シャッターが全開になった状態のディスクカートリッジおよびカートリッジホルダーを示す説明図である。
【図１９】従来のディスクカートリッジの概略構成を示す断面図である。
【図２０】従来のディスクカートリッジを上側から見た際の斜視図であり、同図（ａ）は、シャッターが開いた状態、同図（ｂ）は、シャッターが閉じた状態を示している。
【図２１】従来のディスクカートリッジを下側から見た際の斜視図であり、同図（ａ）は、シャッターが開いた状態、同図（ｂ）は、シャッターが閉じた状態を示している。
【図２２】図１４に示すディスクドライブの、ｂ−ｂ’線における断面図である。
【図２３】図１９などに示した従来のディスクカートリッジを利用するディスクドライブの断面図である。
【図２４】同図（ａ）は、本発明の実施のさらに他の形態に係るディスクドライブにおける、ディスクカートリッジのローディング機構を示す平面図であり、同図（ｂ）は、同図（ａ）の側面図である。
【図２５】図２４（ａ）および図２４（ｂ）に示すローディング機構の斜視図である。
【図２６】同図（ａ）は、上記ローディング機構において、ディスクカートリッジの挿入が完了した状態を示す平面図であり、同図（ｂ）は、同図（ａ）の側面図である。
【図２７】図２６（ａ）および図２６（ｂ）に示すローディング機構の斜視図である。
【符号の説明】
【０１６３】
　１　　ディスク
　２　　ディスクカバー
　３　　ディスク部
　４　　ハブ部
　５　　内周側ディスク当接部（内周側当接部）
　７　　外周側ディスク当接部（外周側当接部）
　１１　　ヘッド
　１４　　ディスク基板
　１５　　記録膜（記録層）
　１６　　保護膜（保護層）
　１７　　磁気コイル（磁気ヘッド部）
　１８　　対物レンズ
　２２　　発光素子
　２３　　受光素子
　２４　　ディスク凸部
　２４Ａ　　くびれ（凹部）
　２５　　突起部（凸状部）
　２６　　ディスク保持用ロック
　３０　　シャッター
　３１　　ハブ保持用切り欠け部
　３２　　ハブ
　３３　　カートリッジホルダー
　３５　　ヘッド
【図１】
2004103245.tif 000003
【図２】
2004103245.tif 000004
【図３】
2004103245.tif 000005
【図４】
2004103245.tif 000006
【図５】
2004103245.tif 000007
【図６】
2004103245.tif 000008
【図７】
2004103245.tif 000009
【図８】
2004103245.tif 000010
【図９】
2004103245.tif 000011
【図１０】
2004103245.tif 000012
【図１１】
2004103245.tif 000013
【図１２】
2004103245.tif 000014
【図１３】
2004103245.tif 000015
【図１４】
2004103245.tif 000016
【図１５】
2004103245.tif 000017
【図１６】
2004103245.tif 000018
【図１７】
2004103245.tif 000019
【図１８】
2004103245.tif 000020
【図１９】
2004103245.tif 000021
【図２０】
2004103245.tif 000022
【図２１】
2004103245.tif 000023
【図２２】
2004103245.tif 000024
【図２３】
2004103245.tif 000025
【図２４】
2004103245.tif 000026
【図２５】
2004103245.tif 000027
【図２６】
2004103245.tif 000028
【図２７】
2004103245.tif 000029